(57)【要約】【課題】長期にわたり寸法の収縮を防止することができるとともに、湿度、温度などの影響による反りの発生も少なく、丈夫で長持ち、優れた耐久性を発揮し、いつまでも安定した姿勢を保持することのできる合成畳を提供すること。【解決手段】発泡プラスチック製の芯材１と、この芯材１の表面側を覆う保護材４と、この保護材４の表面側に配置される畳表７と、芯材１の裏面側に配置される裏面材５とを有し、芯材１と保護材４との間および芯材１と裏面材５との間の少なくとも一方に、補強材としてグラスファイバープレスボード、ポリエステル繊維融着ボード、ベニヤ板等の合板などからなる補強材が介在されていることを特徴とする。【選択図】図１
2010019022.tif 000002
【特許請求の範囲】
【請求項１】
発泡プラスチック製の芯材と、この芯材の表面側を覆う保護材と、この保護材の表面側に配置される畳表と、前記芯材の裏面側に配置される裏面材とを有し、
前記芯材と前記保護材との間および前記芯材と前記裏面材との間の少なくとも一方に、グラスファイバープレスボード、ポリエステル繊維融着ボード、ベニヤ板等の合板などからなる補強材が介在されていることを特徴とする合成畳。
【請求項２】
前記補強材が、少なくとも、前記芯材と前記保護材との間に介在されていることを特徴とする請求項１に記載の合成畳。
【請求項３】
前記畳表と前記保護材と前記補強材と前記芯材と前記裏面材とは、ビニロン糸またはポリプロピレン糸により縫着されることにより一体化されていることを特徴とする請求項１または２に記載の合成畳。
【発明の詳細な説明】
【技術分野】
【０００１】
本発明は、発泡プラスチック製の芯材を用いて軽量化を図るとともに寸法の経年変化を防止することのできる合成畳に関する。
【背景技術】
【０００２】
近年は高気密・高断熱住宅が多くなり、建築材料には気密性・断熱性・防水性等の機能が要求されている。この要求に応えるための畳としては、発泡プラスチック製の芯材を用いた合成畳がある。この合成畳は軽量で持ち運びが便利であるとともに室温を逃がさず、しかも床下からの冷え込みを防ぐことができるため、夏涼しく冬温かい快適な住まいを実現できるという利点がある。
【０００３】
ところが、芯材として発泡プラスチックが使用された合成畳においては、例えば、家具の脚などが置かれたりすると、部分的に沈み込みが発生し、復元が困難であり、いわゆるへたりが生じ易い。また、長期間使用していると経年変化により縦横の寸法精度に狂いが発生したり、湿度などにより反りが発生したりするという問題があった。
【０００４】
一方、高気密・高断熱住宅で使用される合成畳の中には、例えば、特許文献１に開示されているように、芯材として、木質系ボード、無機系ボード、ハニカムコアなどの板状体を用いたものを知られている。
【０００５】
ところが、芯材としてこのような材質を用いた場合には、軽量化を達成できない場合があり、断熱性も十分ではない。
さらに、防湿性、断熱性も低いため、高気密・高断熱住宅の必要に、十分答えることができないという問題があった。
【特許文献１】特開平１１−３３６３０７号公報
【発明の開示】
【発明が解決しようとする課題】
【０００６】
本発明は上記実情に鑑みてなされたもので、軽量で待ち運びが容易であるとともに、防湿性、断熱性に優れ、しかも長期にわたり寸法の収縮を防止することができるとともに、湿度、温度などの影響による反りの発生も少なく、丈夫で長持ち、優れた耐久性を発揮し、いつまでも安定した姿勢を保持することが可能で、高気密・高断熱住宅の必要に適した合成畳を提供することを目的としている。
【０００７】
さらに、本発明では、へたりを抑制することができる合成畳を提供することを目的としている。
【課題を解決するための手段】
【０００８】
上記目的を達成するための本発明に係る合成畳は、発泡プラスチック製の芯材と、この芯材の表面側を覆う保護材と、この保護材の表面側に配置される畳表と、前記芯材の裏面側に配置される裏面材とを有し、
前記芯材と前記保護材との間および前記芯材と前記裏面材との間の少なくとも一方に、グラスファイバープレスボード、ポリエステル繊維融着ボード、ベニヤ板等の合板などからなる補強材が介在されていることを特徴としている。
【０００９】
このような合成畳によれば、グラスファイバープレスボード、ポリエステル繊維融着ボード、ベニヤ板などの合板などからなる補強材を介して発泡プラスチック製の芯材に力が
伝達されるので、全体としての強度を補強することができる。また芯材の収縮性を補うことができる。
【００１０】
また、芯材の両面に補強材を介在させて表裏面を略対称形状とすることにより、反りの発生を可及的に少なくすることができる。また、芯材の中間部に補強材を介在させても良い。さらには表側と裏側で補強材の厚さを代えても良い。すなわち、芯材として用いる発泡プラスチックの厚さや強度、あるいは保護材や裏面材として用いる材質や強度などに応じて補強材の配置位置、数などは適宜調整可能である。
【００１１】
なお、前記補強材が、少なくとも前記芯材と前記保護材との間に介在されていれば、家具等によるへたりを抑制することができる。
また、前記畳表と前記保護材と前記補強材と前記芯材と前記裏面材とは、ビニロン糸またはポリプロピレン糸により縫着されることにより一体化されていることが好ましい。
【００１２】
このように畳構成部材が縫着により一体化されることにより、接着材で固定する場合とは異なって各構成要素の上下への動きが可能であるので、反りの発生を防止することができる。
【００１３】
また、前記保護材は、ポリエステル不織布であることが好ましい。
さらに、前記裏面材は、前記裏面材は、クラスト紙を貼り合わせたポリエチレンテープヤーンであることが好ましい。
【発明の効果】
【００１４】
本発明に係る合成畳によれば、グラスファイバープレスボード、ポリエステル繊維融着ボード、ベニヤ板等の合板などからなる補強材の作用により、収縮や反りを防止し寸法安定性を長期間に渡って維持することができる。また、吸水・吸湿性もないので、高気密・高断熱住宅に最適であるとともに、芯材の厚さを適宜調整することにより、どのような厚さの畳でも提供することができる。さらに、持ち運びが容易で、加工性にも優れている。
【発明を実施するための最良の形態】
【００１５】
以下、図面を参照しながら、本発明に係る合成畳について説明する。
図１は本発明の一実施例である合成畳Ａの部分的な縦断面図であり、この合成畳Ａは発泡プラスチックを、例えば１０ｍｍ〜６０ｍｍ厚の板状に成形した芯材１を有する。発泡プラスチックとしては、例えばポリスチレン、ポリエチレン、ポリプロピレン、ポリ塩化ビニル、硬質ポリウレタン、フェノール樹脂等の熱可塑性プラスチックを適宜の倍率で発泡させたものが挙げられる。その中でも、ポリスチレンの発泡体である商品名カネライトフォーム（株式会社カネカ製）を用いることが好ましい。この発泡体は、断熱性能に優れ、吸水・保湿性がほとんどなく、フロンやホルムアルデヒドが含まれておらず、さらには切削加工性が良好であるとともに、圧縮強度、曲げ強さもあり、驚異的な粘り腰を発揮するので合成畳の芯材に有効である。
【００１６】
また、芯材１の表面側と裏面側には、３ｍｍ〜１０ｍｍ程度の補強材２，３が設置されている。
この補強板としては、例えば、ポリプロピレンにグラスファイバーを混合させたグラスファイバープレスボード２、３を例示することができる。このグラスファイバープレスボード２，３は、自動車の内装品などに広く使用されている混合板であり、例えば、中川産業株式会社から商品名ＧＦ−ＰＰプレスボードとして市販されている。このようなグラスファイバープレスボード２、３は、引張強度が非常に強く耐熱性に優れ、燃え難く、薬品に侵され難く、電気絶縁性に良好で吸湿性が少なく、吸音性にも優れるといった利点がある。
【００１７】
また、補強材として、グラスファイバープレスボードに代えて、ポリエステル繊維融着ボード、ベニヤ板等の合板などを採用することもできる。
補強材２の上側にはシート状の保護材４を設けてある。この保護材４は畳表裏面部と補強材を保護できるポリエステル不織布またはポリプロピレン不織布等により厚さ１〜３ｍｍ程度に設定してある。保護材４の表面側は、３ｍｍ程度のイグサよりなる畳表７で被覆してある。
【００１８】
一方、芯材１の裏面側、すなわち図中下側では、補強材３の下面に裏面材５を設けてある。この裏面材５はポリオレフィンクロス、不織布等で構成することができ、中でも、クラフト紙を貼り合わせたポリエチレンテープヤーンを好ましく用いることができる。
【００１９】
そして、畳表７、保護材４、補強材２、芯材１、補強材３、裏面材５を図示しない縫糸で一括して縫合固定し、合成畳Ａを構成している。なお、縫糸としては、ビニロン系又はポリプロピレン系の糸が用いられている。
【００２０】
上記構成の合成畳Ａを床の上に敷いた場合、合成畳Ａに対して上側から荷重が加わった場合、上側の補強材２を介して荷重が芯材１に伝達され、さらに下側の補強材３に伝達されるので、これらの補強材２，３により、荷重が吸収されて、ヘタリを防止し、長期間の使用に耐え得る。また、芯材１の表裏面が、吸湿作用のない補強材２，３で覆われていることから、伸縮が防止され、反りの発生を防止することができる。
【００２１】
以上、本発明の一実施例に係る合成畳Ａについて説明したが、本発明は、上記実施例に何ら限定されない。
例えば、合成畳Ａでは、上側と下側に補強材２，３をそれぞれ設けているが、本発明はこれに限定されず、補強材は上側と下側の少なくとも一方に設置されていれば良い。また、家具等によるへたりを抑制する観点からは、図２に示した合成畳Ｂのように、芯材１と補強材４との間に補強材２が設置されていることが好ましい。
【００２２】
また、上下の補強材２，３の厚さは、同一である必要はなく、適宜調整可能である。
図３はさらに他の実施例である合成畳Ｃを示す部分的な縦断面図である。この合成畳Ｃは、中央の芯材を芯材１ａ、１ｂのように２つに分離し、その間に補強材６を設けてある。すなわち、２つの芯材１ａ、１ｂの間にグラスファイバープレスボードからなる補強材６が介在されている。その他の構成は図１の合成畳Ａと同様である。このような合成畳Ｃでは、上方から加えられる荷重に対し芯材１ａを介して組成の異なる補強材６に伝達され、その荷重がさらに下方の芯材１ｂを介して、再び吸湿作用のない補強材３に伝達されるので、より一層、クッション性が向上し、寸法精度が位置維持される。この合成畳Ｃであれば、合成畳Ａと同様あるいはそれ以上の作用効果を期待できる。
【００２３】
また、本発明の合成畳では、上下の層間に接着剤が介在されず、全て縫糸で一体化されているため、各層間は適宜な移動が可能であるため、復元性が良好で、どの部分を踏んだとしても硬さは均一である。
【００２４】
さらに、本発明の合成畳では、吸水・保湿性がほとんど無い材質を使用しているため、断熱の大敵である水の入る余地が無く、断熱性能の劣化も防止することができる。
【図面の簡単な説明】
【００２５】
【図１】図１は、本発明の一実施例に係る合成畳の断面図である。
【図２】図２は、本発明の他実施例に係る合成畳の断面図である。
【図３】図３は、本発明のさらに他実施例に係る合成畳の断面図である。
【符号の説明】
【００２６】
１、１ａ、１ｂ          芯材
２、３、６              補強材
４                      保護材
５                      裏面材
７                      畳表
Ａ、Ｂ、Ｃ              合成畳
【図１】
2010019022.tif 000003
【図２】
2010019022.tif 000004
【図３】
2010019022.tif 000005